(57)【特許請求の範囲】
【請求項１】
植物を配置する設置部が長手方向に複数形成された植物栽培筒を立設させた植物栽培装置であって、
複数の孔が形成された中空部材を立設させ、
前記中空部材に、炭酸ガスを流通させるための炭酸ガス供給部を設けるとともに、
前記植物栽培筒が配置された空間の炭酸ガスの濃度を検出する濃度検出部に接続された制御部を設け、
前記中空部材は、前記空間を形成するフレームであって、
前記制御部が、前記濃度検出部からの検出信号に応じて、前記炭酸ガスの濃度が低い場合に、前記炭酸ガス供給部を介して供給する前記炭酸ガスの供給量が多くなるように変更することを特徴とする植物栽培装置。
【請求項２】
前記炭酸ガス供給部は、前記フレームの上部に設けられており、
複数の前記炭酸ガス供給部を接続する連結管が設けられていることを特徴とする請求項１に記載の植物栽培装置。
【請求項３】
前記制御部は、温度を検出する温度検出部に更に接続され、
前記制御部が、複数の温度検出部からの温度差に応じて、前記温度差が大きい場合には、前記炭酸ガスの供給量を増加させるように制御することを特徴とする請求項１又は２に記載の植物栽培装置。
【請求項４】
前記植物に対して照射する光源を備え、
前記光源が点灯している間には、前記炭酸ガスを前記孔から前記空間に供給することを特徴とする請求項１〜３の何れか１項に記載の植物栽培装置。
【請求項５】
植物を配置する設置部が長手方向に複数形成された植物栽培筒を立設させた植物栽培装置を用いた植物栽培方法であって、
前記植物栽培装置は、複数の孔が形成された中空部材を立設させており、
前記中空部材は、前記植物栽培筒が配置された空間を形成するフレームであって、
前記中空部材には、炭酸ガスを流通させ、
前記植物栽培筒を配置した空間内の温度差が許容範囲を超えた場合には、前記中空部材の前記孔から、炭酸ガスを流出させることを特徴とする植物栽培方法。
【発明の詳細な説明】
【技術分野】
【０００１】
本発明は、垂直方向に立設された植物栽培筒に液体を通して植物を栽培するための植物栽培装置及び植物栽培方法に関する。
【背景技術】
【０００２】
室内において、人工光を用いて野菜等の植物の栽培が行なわれている。このための栽培施設が検討されている（例えば、特許文献１参照）。この文献に記載の栽培施設においては、養分を含む水を供給する給水装置と、室内の温度及び湿度を調整する空調機と、炭酸ガスを供給するガスボンベと、照明する発光体とを備え、循環送風するための送風手段を設けている。
【０００３】
また、収穫効率を向上させるために、複数のパイプを立設して、パイプの延在方向に植物を並べて載置させた植物栽培装置が検討されている（例えば、特許文献２参照）。この文献に記載の植物栽培装置は、養液を供給するための縦方向に延伸した養液用パイプ、栽培植物を植えるための縦方向に延伸した植物用パイプを備えている。また、植物用パイプには、栽培植物を載置する植物載置部を先端内部に設置した１以上の分岐パイプが斜め上方向に向けて所定の高さ幅ごとに設けられている。更に、養液用パイプ内部から分岐パイプ内部へと養液を供給するための養液供給手段が設けられている。
【先行技術文献】
【特許文献】
【０００４】
【特許文献１】特開２０１２−８０７８３号公報
【特許文献２】特開２０１４−２１７３４９号公報
【発明の概要】
【発明が解決しようとする課題】
【０００５】
このような植物栽培においては、温度調整が大切である。この温度調整は、植物栽培装置の上又は横に設けた排吸気口を介して行なわれることがある。この場合、垂直方向に立設された植物栽培筒を用いての植物栽培では、垂直方向において温度差が発生し易く、植物の育成にばらつきが生じる可能性があった。
【０００６】
本発明は、上記課題に鑑みてなされ、垂直方向に立設された植物栽培筒を用いた植物栽培において、環境条件を良好にするための植物栽培装置及び植物栽培方法を提供することにある。
【課題を解決するための手段】
【０００７】
上記課題を解決する植物栽培装置は、植物を配置する設置部が長手方向に複数形成された植物栽培筒を立設させた植物栽培装置であって、複数の孔が形成された中空部材を立設させ、前記中空部材に、炭酸ガスを流通させるための炭酸ガス供給部を設けるとともに、前記植物栽培筒が配置された空間には、この空間の環境条件を検出する検出部に接続された制御部を設け、前記制御部が、前記検出部からの検出信号に応じて、前記炭酸ガス供給部を介して供給する前記炭酸ガスの供給量を変更する。ここで、空間の環境条件とは、空間内の温度、温度差、二酸化炭素の濃度等、植物栽培に影響する条件をいう。これにより、検知部からの検出信号に応じて、立設された中空部材に形成された複数の孔から炭酸ガスを供給するので、植物栽培筒に対して全体的に炭酸ガスを供給し、炭酸ガスを用いて環境条件を良好にすることができる。
【０００８】
上記植物栽培装置においては、前記中空部材は、前記空間を形成するフレームであることが好ましい。これにより、植物栽培装置の構成部材を用いて、空間内に炭酸ガスを供給することができる。
【０００９】
上記植物栽培装置においては、前記炭酸ガス供給部は、前記フレームの上部に設けられており、複数の前記炭酸ガス供給部を接続する連結管が設けられていることが好ましい。これにより、フレームの上部において接続される連結管を介して炭酸ガスをフレームに供給するので、ガス温度が同じであれば空気より重い炭酸ガスを円滑に流通させることができる。
【００１０】
上記植物栽培装置においては、前記検出部には、温度を検出する温度検出部が含まれ、前記制御部が、複数の温度検出部からの温度差に応じて、前記炭酸ガスの供給量を制御することが好ましい。これにより、温度差が大きい場合には、供給量を増加させて、炭酸ガスを用いて撹拌するので、温度差を低減させることができる。
【００１１】
上記植物栽培装置においては、前記検出部には、炭酸ガスの濃度を検出する濃度検出部が含まれ、前記制御部が、前記空間の炭酸ガスの濃度に応じて、前記炭酸ガスの供給量を制御することが好ましい。これにより、炭酸ガスの濃度が低いときには、供給量を増加させるので、効率よく光合成させながら、炭酸ガスを撹拌して温度差を低減させることができる。
【００１２】
上記植物栽培装置においては、前記植物に対して照射する光源を備え、前記光源が点灯している間には、前記炭酸ガスを前記孔から前記空間に供給することが好ましい。これにより、植物に光を照射しているときに二酸化炭素を供給するので、植物に効率的に光合成を行なわせることができる。
【発明の効果】
【００１３】
本発明によれば、垂直方向に立設された植物栽培筒を用いた植物栽培において、環境条件を良好にすることができる。
【図面の簡単な説明】
【００１４】
【図１】本開示における植物栽培装置の全体構成を説明する概略構成図。
【図２】本開示における植物栽培装置の平面断面図。
【図３】本開示における植物栽培装置の植物栽培筒の要部の拡大断面図。
【図４】本開示における育成制御処理の処理手順を説明する流れ図。
【図５】本開示における温度差調整制御処理の処理手順を説明する流れ図。
【発明を実施するための形態】
【００１５】
以下、図１〜図５に従って、植物栽培装置及び植物栽培方法の一実施形態を説明する。本実施形態においては、植物として、食べられる植物（例えばレタスや青梗菜等の葉物等）を栽培する。
【００１６】
図１に示すように、本実施形態の植物栽培装置１０は、略直方体形状をしており、複数の柱１１が間隔をおいて立設されている。各柱１１は、複数の孔が長手方向に一列で間隔をおいて形成された中空部材で構成されている。各柱１１は、孔が植物栽培装置１０の中心軸を向くように配置されている。
【００１７】
柱１１の上部には、複数の柱１１を連結する複数の連結部材１３が接続されている。連結部材１３は、中空部材によって形成されている。連結部材１３の中空部と各柱１１の中空部とは連通されている。連結部材１３には、炭酸ガス流入部１３ａが形成されている。この炭酸ガス流入部１３ａには、後述するオフィス６０の排気が供給される。この排気には、比較的濃い濃度の二酸化炭素（ＣＯ２）が含まれている。本実施形態では、このオフィス６０からの排気を、炭酸ガスと称する。従って、柱１１の上端部と連結部材１３との接続部は、炭酸ガス供給部として機能し、柱１１の中空部に供給された炭酸ガスは、柱１１の各孔から流出可能となっている。
【００１８】
柱１１には、設置面から所定高さの位置に、長方形状の下板部材１５が取り付けられている。柱１１の上面には、下板部材１５と同じ形状の上板部材１６が配置されている。この上板部材１６は、下板部材１５と空間をおいて対向して配置されている。
【００１９】
図２に示すように、柱１１と下板部材１５と上板部材１６で囲まれた空間２０の中央には、複数の栽培床２１が、間隔をおいて配置されている。各栽培床２１は、複数（本実施形態では４つ）の植物栽培筒Ｐ１によって構成されている。各植物栽培筒Ｐ１は、鉛直方向（垂直方向）に延在するように立設されている。
【００２０】
図３に示すように、各植物栽培筒Ｐ１には、複数の植物設置部Ｐａが、所定の間隔で形成されている。本実施形態では、植物設置部Ｐａは、植物栽培筒Ｐ１の長手方向（垂直方向）に対して、一列で形成されている。植物設置部Ｐａは、筒形状をしており、植物栽培筒Ｐ１の長手方向（垂直方向）に対して、所定方向（例えば４５度）で接続されている。そして、一端部は斜め方向（例えば４５度）に開口されている。また、植物設置部Ｐａの端部は、斜め上側に開口しており、植物の苗が植わった培地Ｇ１を保持できるように構成されている。また、植物設置部Ｐａは、端部に苗が設置された場合に、苗の根が、植物栽培筒Ｐ１内に位置する大きさで形成されている。
【００２１】
図１に示す下板部材１５には、下方に貫通する貫通孔（図示せず）が形成されている。この貫通孔は、下板部材１５の下方に配置された下部タンク３１に開口されている。この下部タンク３１には、植物を栽培するための肥料成分等を調合した培養液（液体）が貯留される。更に、この下部タンク３１には、植物栽培筒Ｐ１内を流れた培養液が、上述した貫通孔を介して流れ込む。この下部タンク３１に貯留された培養液は、図示しない配管やポンプを介して、植物栽培筒Ｐ１の上方に供給される。なお、本実施形態では、植物栽培筒Ｐ１に供給された培養液は、植物栽培筒Ｐ１の内壁面を伝い落ちることによって、培地Ｇ１に植えられた植物に供給される。
【００２２】
図２に示すように、栽培床２１の外側には、複数の光源２６が配置されている。この光源２６は、光量子量（光合成光量子束密度）を調整可能な光源である。本実施形態では、光源２６として、垂直方向に延在する蛍光灯型ＬＥＤ（発光ダイオード）を用いる。更に、この光源２６の外側には、図示しない反射板が、空間２０の側面を囲むように配置されている。
【００２３】
更に、図１の植物栽培装置１０は、反射板で囲まれた空間２０の温度を検出する複数の温度検出部４１を備えている。また、植物栽培装置１０は、空間２０の炭酸ガスの濃度を測定する炭酸ガス濃度検出部４５を備えている。温度検出部４１及び炭酸ガス濃度検出部４５は、空間の環境条件を検出する検出部であり、制御ユニット５０に接続されている。
【００２４】
制御ユニット５０は、入力部５５、表示部５６、供給ポンプ６６及びバルブ６７に接続されている。
入力部５５は、制御ユニット５０に対して、制御開始や停止等を入力する操作パネルにより構成される。
表示部５６は、入力された指示や現在の制御状態等を表示するディスプレイにより構成される。
【００２５】
供給ポンプ６６及びバルブ６７は、植物栽培装置１０とオフィス６０とを連通する気体供給管６５に設けられている。供給ポンプ６６は、オフィス６０の排気（炭酸ガス）を植物栽培装置１０の空間２０に圧送する。バルブ６７は、オフィス６０からの排気を用いた炭酸ガスの供給量を調整する。
【００２６】
制御ユニット５０は、ＣＰＵ、ＲＡＭ及びＲＯＭ等のメモリ等を備えた制御手段である。制御ユニット５０は、光量制御部５１及び送風制御部５２を備えている。
光量制御部５１は、光源２６の光量子量の可変制御やスイッチのオンオフ制御を行なう。光量制御部５１には、植物に照射する光源２６の制御を行なう日照制御データが記憶されている。この日照制御データには、パターン周期時間（１パターンの周期）、パターン周期時間における光量子量に関する日照制御パターンが記録されている。例えば、日照制御パターンには、パターン周期時間を２４時間として、日中の太陽光の日射パターンと同様に光量子量を調整するパターンが設定されている。従って、光量制御部５１は、後述する育成制御処理の開始指示を取得すると、システムタイマから現在時刻を取得し、記憶した日照制御データを用いて、光源２６の照明機構部に対してオンオフや光量子の可変制御の指示を行なう。
【００２７】
送風制御部５２は、温度検出部４１及び炭酸ガス濃度検出部４５からの検出信号に応じて、供給ポンプ６６の駆動やバルブ６７の開閉を制御する。この場合、送風制御部５２は、炭酸ガス濃度に応じたバルブ６７の開口度に関する開口度データを記憶している。この開口度は、植物栽培装置１０の空間２０内の炭酸ガス濃度が低くなるに従って、送風量が多くなる開口度が設定されている。また、送風制御部５２は、許容範囲温度を記憶している。この許容範囲温度は、送風の要否を判定するために用いる温度差であり、例えば摂氏２度と設定することができる。
【００２８】
また、オフィス６０には、温度検出部６１及び空調設備６２が設けられている。温度検出部６１は、オフィス６０の温度を検出する。空調設備６２は、温度検出部６１からの検出温度に基づいて、設定温度にオフィス６０の温度を調整する。
【００２９】
次に、図４及び図５を用いて、上述した植物栽培装置１０の作用について説明する。本実施形態では、光源２６の点灯時や、空間２０内において温度差が生じた時に、オフィス６０からの炭酸ガスを空間２０に供給する。以下、育成制御処理と温度差調整制御処理とに分けて説明する。
【００３０】
（育成制御処理）
まず、図４を用いて、育成制御処理について説明する。この処理は、入力部５５を介して、育成制御処理の開始指示が入力された場合に行なわれる。
【００３１】
この場合、制御ユニット５０は、パターン周期時間に基づいて、光照射の開始か否かについての判定処理を実行する（ステップＳ１−１）。具体的には、制御ユニット５０の光量制御部５１は、システムタイマから現在時刻を取得し、パターン周期時間の点灯時刻と比較する。
【００３２】
光照射の開始でないと判定した場合（ステップＳ１−１において「ＮＯ」の場合）、制御ユニット５０は、判定処理（ステップＳ１−１）を継続する。
一方、光照射の開始と判定した場合（ステップＳ１−１において「ＹＥＳ」の場合）、制御ユニット５０は、光照射処理を実行する（ステップＳ１−２）。具体的には、制御ユニット５０の光量制御部５１は、日照制御データに従って光源２６の照明機構部に対して点灯の指示を行なう。照明機構部は、この指示に応じて、光源２６を点灯する。
【００３３】
次に、制御ユニット５０は、ポンプ駆動処理を実行する（ステップＳ１−３）。具体的には、制御ユニット５０の送風制御部５２は、供給ポンプ６６の駆動部に駆動信号を出力し、供給ポンプ６６を駆動させる。
【００３４】
次に、制御ユニット５０は、炭酸ガス濃度の検出処理を実行する（ステップＳ１−４）。具体的には、制御ユニット５０の送風制御部５２は、炭酸ガス濃度検出部４５から、植物栽培装置１０の空間２０内の炭酸ガス濃度（二酸化炭素（ＣＯ２）濃度）に関するデータを取得する。
【００３５】
次に、制御ユニット５０は、濃度に応じた開口度の決定処理を実行する（ステップＳ１−５）。具体的には、制御ユニット５０の送風制御部５２は、開口度データを用いて、炭酸ガス濃度に応じた開口度を特定する。
【００３６】
次に、制御ユニット５０は、バルブ制御処理を実行する（ステップＳ１−６）。具体的には、制御ユニット５０の送風制御部５２は、特定した開口度となるように、バルブ６７の開閉を制御する。これにより、炭酸ガス濃度に応じた送風量の空気がオフィス６０から植物栽培装置１０の連結部材１３に供給される。更に、連結部材１３から各柱１１の孔を介して、植物栽培装置１０の空間に供給される。
【００３７】
そして、制御ユニット５０は、光照射の終了か否かの判定処理を実行する（ステップＳ１−７）。具体的には、制御ユニット５０の光量制御部５１は、日照制御データに応じて、光源２６の照明機構部に対してオフの制御指示を出力したか否かを判定する。そして、日照時間を経過してオフの制御指示を出力する場合には、光照射の終了と判定する。
【００３８】
光照射が終了していないと判定した場合（ステップＳ１−７において「ＮＯ」の場合）には、制御ユニット５０の送風制御部５２は、ステップＳ１−４以降の処理を繰り返す。
一方、光照射が終了したと判定した場合（ステップＳ１−７において「ＹＥＳ」の場合）、制御ユニット５０は、光消灯処理を実行する（ステップＳ１−８）。具体的には、制御ユニット５０の光量制御部５１が、オフの制御指示を照明機構部に出力する。照明機構部は、この指示に応じて、光源２６を消灯する。
【００３９】
次に、制御ユニット５０は、ポンプ停止処理を実行する（ステップＳ１−９）。具体的には、制御ユニット５０の送風制御部５２は、供給ポンプ６６の駆動部に停止信号を出力し、供給ポンプ６６を停止させる。
なお、育成制御処理を終了させる場合には、入力部５５を介して、育成制御処理の終了指示が入力される。
【００４０】
（温度差調整制御処理）
次に、図５を用いて、温度差調整制御処理について説明する。
まず、制御ユニット５０は、温度測定処理を実行する（ステップＳ２−１）。具体的には、制御ユニット５０の送風制御部５２は、各温度検出部４１から、植物栽培装置１０の空間２０内における温度に関するデータを取得する。
【００４１】
次に、制御ユニット５０は、温度差が許容範囲内か否かの判定処理を実行する（ステップＳ２−２）。具体的には、制御ユニット５０の送風制御部５２は、取得した各温度を比較して、最低温度と最高温度を特定し、これらを用いて最大温度差を算出する。算出した最大温度差と記憶している許容範囲温度とを比較する。
【００４２】
ここで、温度差が許容範囲内と判定した場合（ステップＳ２−２において「ＹＥＳ」の場合）、制御ユニット５０は、ステップＳ２−１以降の処理を繰り返して実行する。
一方、温度差が許容範囲を超えたと判定した場合（ステップＳ２−２において「ＮＯ」の場合）、制御ユニット５０は、炭酸ガス濃度の検出処理を実行する（ステップＳ２−３）。具体的には、制御ユニット５０の送風制御部５２は、炭酸ガス濃度検出部４５から、植物栽培装置１０の空間２０内の炭酸ガス濃度（二酸化炭素（ＣＯ２）濃度）に関するデータを取得する。
【００４３】
次に、制御ユニット５０は、炭酸ガス供給中か否かの判定処理を実行する（ステップＳ２−４）。具体的には、制御ユニット５０の送風制御部５２は、供給ポンプ６６の稼働中か否かを判定する。
【００４４】
ここで、炭酸ガスの供給中と判定した場合（ステップＳ２−４において「ＹＥＳ」の場合）、制御ユニット５０は、送風量の調整処理を実行する（ステップＳ２−５）。具体的には、制御ユニット５０の送風制御部５２は、供給ポンプ６６の稼働を継続し、バルブ６７を更に開いて、オフィス６０からの空気（炭酸ガス）の量を増大させる。
【００４５】
一方、炭酸ガスの供給中でないと判定した場合（ステップＳ２−４において「ＮＯ」の場合）、制御ユニット５０は、ポンプ駆動処理を実行する（ステップＳ２−６）。具体的には、制御ユニット５０の送風制御部５２は、供給ポンプ６６の駆動部に駆動信号を出力し、供給ポンプ６６を駆動させて、オフィス６０から排気した炭酸ガスを、柱１１の各孔から噴出させる。
【００４６】
従って、本実施形態によれば、以下のような効果を得ることができる。
（１）本実施形態において、植物栽培装置１０は、垂直方向に立設された植物栽培筒Ｐ１と柱１１とを備えている。柱１１は、複数の孔が形成された中空部材で構成されている。柱１１の中空部には、炭酸ガスが供給されており、孔から炭酸ガスを流出可能となっている。制御ユニット５０は、植物栽培筒Ｐ１が配置された空間２０内の温度差が許容範囲内でない場合（ステップＳ２−２において「ＮＯ」の場合）、送風量の調整処理（ステップＳ２−５）又はポンプ駆動処理（ステップＳ２−６）を実行する。これにより、植物栽培筒Ｐ１に対して全体的に炭酸ガスを供給することができる。更に、炭酸ガスを用いて温度差を低減することができる。
【００４７】
（２）本実施形態において、植物栽培装置１０の空間２０を形成する柱１１を、炭酸ガスを流出させる中空部材として用いている。これにより、植物栽培装置１０の構成部材を用いて、空間２０内に炭酸ガスを供給することができる。
【００４８】
（３）本実施形態において、柱１１の上部には、これら柱１１を連結する複数の連結部材１３が接続されている。連結部材１３は、中空部材によって形成されている。連結部材１３の中空部と各柱１１の中空部とは連通しており、炭酸ガスが供給される。これにより、柱１１に供給される炭酸ガスは、柱１１の上部において接続された連結部材を介して流通するので、ガス温度が同じであれば空気より重い炭酸ガスを円滑に流通させることができる。
【００４９】
（４）本実施形態において、制御ユニット５０は、光照射の開始と判定した場合（ステップＳ１−１において「ＹＥＳ」の場合）、ポンプ駆動処理を実行し（ステップＳ１−３）、光照射が終了したと判定した場合（ステップＳ１−７において「ＹＥＳ」の場合）、ポンプ停止処理を実行する（ステップＳ１−９）。これにより、植物への光照射中に二酸化炭素を供給するので、植物に効率的に光合成を行なわせることができる。
【００５０】
（５）本実施形態において、制御ユニット５０は、炭酸ガス濃度に応じた開口度の決定処理（ステップＳ１−５）、バルブ制御処理（ステップＳ１−６）を実行する。これにより、炭酸ガスの濃度が低いときには、供給量を増加させるので、効率よく光合成させながら、炭酸ガスを撹拌して温度差を低減させることができる。
【００５１】
（６）本実施形態において、植物栽培装置１０の空間２０に供給する炭酸ガスは、空調設備６２により温度調整されたオフィス６０内の空気を用いる。これにより、オフィス６０からの空気を有効利用することができるとともに、植物栽培装置１０における温度調整処理を省略することができる。
【００５２】
また、上記実施形態は、以下のように変更してもよい。
・上記実施形態の植物栽培装置１０は、４つの栽培床２１を備え、各栽培床２１は、４つの植物栽培筒Ｐ１で構成した。植物栽培装置１０の栽培床の数や配置、各栽培床を構成する植物栽培筒Ｐ１の数や構成は、上記実施形態に限定されない。また、上記実施形態の植物栽培筒Ｐ１は、植物設置部Ｐａが間隔をおいて一列で構成した。植物栽培筒Ｐ１は、このような構成に限られず、例えば、植物設置部Ｐａが複数列に配置された構成であってもよい。
【００５３】
・上記実施形態においては、植物栽培装置１０の柱１１は、複数の孔が長手方向に一列で間隔をおいて形成された中空部材で構成した。各柱１１の孔の大きさや配置は、同じである場合に限定されない。
【００５４】
また、植物栽培装置１０を構成する一部の柱１１に孔を形成するようにしてもよい。
更に、連結部材１３に、空間２０に向かって開口する複数の孔を形成してもよい。この場合には、上方から空間２０に対して炭酸ガスを噴出することができる。
【００５５】
・上記実施形態においては、柱１１の上部に設けられた連結部材１３に炭酸ガス流入部１３ａを設けた。連結部材１３を、柱１１の下部又は中央部に設けて、炭酸ガスを上部以外から柱１１に供給してもよい。
【００５６】
・上記実施形態においては、制御ユニット５０は、温度差調整制御処理において、温度差が大きく、かつ炭酸ガス供給中でない場合（ステップＳ２−４において「ＮＯ」の場合）、ポンプ駆動処理を実行した（ステップＳ２−６）。この処理において、炭酸ガス供給中でない場合には、オフィス６０からの排気ではなく、植物栽培装置１０が配置された場所の空気をポンプにより取り込んで、柱１１に供給するようにしてもよい。また、温度差は、空間２０における最低温度と最高温度の最大温度差に限定されない。例えば、最低温度及び最高温度と、設定温度との絶対値が許容範囲内か否かを判定してもよい。
【００５７】
・上記実施形態においては、制御ユニット５０は、植物栽培装置１０の空間２０における炭酸ガス濃度に応じた流量となるように、バルブ６７を制御して、炭酸ガスを空間２０に供給した。制御ユニット５０は、空間２０に供給する流量は、オフィス６０内の二酸化炭素濃度や室温に応じて変更してもよい。この場合には、制御ユニット５０は、オフィス６０内の二酸化炭素濃度を検出するＣＯ２濃度検出部やオフィス６０内の温度を検出する温度検出部に接続される。制御ユニット５０は、オフィス６０内の二酸化炭素濃度や温度に応じた開口度データを記憶する。そして、制御ユニット５０は、開口度データを用いて、ＣＯ２濃度検出部や温度検出部からの検出信号に応じた開口度を決定し、バルブ制御処理を実行する。これにより、オフィス６０内の二酸化濃度が低い場合であっても、植物栽培装置１０の空間２０に二酸化炭素を供給することができる。
【００５８】
・上記実施形態においては、植物栽培装置１０の空間２０には、炭酸ガスとして、オフィス６０の排気を供給した。これに限らず、植物栽培装置１０の空間２０には、炭酸ガス発生装置によって発生した炭酸ガスを供給してもよい。
【００５９】
・上記実施形態においては、制御ユニット５０は、育成制御処理と温度差調整制御処理と行なったが、何れか一方を行なってもよい。また、育成制御処理において、制御ユニット５０は、炭酸ガス濃度の検出処理（ステップＳ１−４）及び濃度に応じた開口度の決定処理（ステップＳ１−５）を実行した。これに代えて、制御ユニット５０は、温度の検出処理及び温度差に応じた開口度の決定処理を実行してもよい。この場合には、温度に応じた開口度データを用いる。また、制御ユニット５０は、温度及び二酸化炭素濃度に応じた開口度データを用いて、濃度と温度に応じた開口度の決定処理を実行してもよい。
【００６０】
・上記実施形態において、植物栽培装置１０は、レタスや青梗菜等の葉物を育成するとして説明した。育成する植物は、これに限定されず、例えば、苺等の植物であってもよい。
【符号の説明】
【００６１】
Ｇ１…培地、Ｐ１…植物栽培筒、Ｐａ…植物設置部、１０…植物栽培装置、１１…柱、１３…連結部材、１３ａ…炭酸ガス流入部、１５…下板部材、１６…上板部材、２０…空間、２１…栽培床、２６…光源、３１…下部タンク、４１，６１…温度検出部、４５…炭酸ガス濃度検出部、５０…制御ユニット、５１…光量制御部、５２…送風制御部、５５…入力部、５６…表示部、６０…オフィス、６２…空調設備、６５…気体供給管、６６…供給ポンプ、６７…バルブ。
【図１】
0006586775.tif 000002
【図２】
0006586775.tif 000003
【図３】
0006586775.tif 000004
【図４】
0006586775.tif 000005
【図５】
0006586775.tif 000006